(57)【特許請求の範囲】
【請求項１】
（１）所定のトナーとキャリアの組み合わせからなり、トナーとキャリアの重量混合比Ｔ／Ｃを異ならせた複数の現像剤について、トナー単位重量あたりの帯電量Ｑ／Ｍを測定することにより、この帯電量Ｑ／Ｍと、トナーとキャリアの重量混合比Ｔ／Ｃの関係が数１に当てはまるように数１のＱ／Ｍ（０）とＬｃｈを求める工程（ここで、Ｑ／Ｍ（０）はＴ／Ｃ＝０に外挿したＱ／Ｍの値、Ｌｃｈは定数を表す）
（２）Ｌｃｈ×Ｔ／Ｃ＜１の条件を満足する現像剤を選択し、この選択した現像剤を使用し、透磁率の変化を利用した混合比センサを用いるトナー混合比制御を行いながら印刷する工程を有することを特徴とする画像形成方法。
【数１】
0004049827.tif 000013
【発明の詳細な説明】
【０００１】
【産業上の利用分野】
本発明は静電像の現像方法に係り、特に電子写真方式の静電像の現像方法に関する。
【０００２】
【従来の技術】
従来、使用されてきた２成分現像剤では、トナーとキャリアの混合比Ｔ／Ｃに対するトナーの帯電量Ｑ／Ｍは、混合比Ｔ／Ｃを増加させると、Ｑ／Ｍはそれに伴って、ほぼＴ／Ｃに反比例するような変化を示すものが多かった。しかし、このような特性の現像剤を用いた場合は、画像形成が不安定になる場合があった。
なお、従来の現像剤の例としては、特公平5−78837号公報などに、その帯電量のトナー濃度特性が示されている。その特性は、トナー濃度が高くなるとＱ／Ｍが急激に減少する特性であり、トナー濃度１ｗｔ％ではＱ／Ｍが４５μＣ／ｇ程度であるが、トナー濃度が３ｗｔ％では１５μＣ／ｇ程度となり、Ｑ／Ｍがトナー濃度に反比例する特性である。ここでトナー濃度とは、トナーとキャリアを合わせた現像剤重量に対するトナーのみの重量を１００分率で表したものである。また、トナー混合比Ｔ／Ｃは、後述してある通りトナーとキャリアの重量比であり、トナー濃度Ｔｃとの間にはＴ／Ｃ＝Ｔｃ／１００÷（１−Ｔｃ／１００）の関係があり、Ｔ／ＣはＴｃを１００で割った値より僅かに大きくなる。
【０００３】
【発明が解決しようとする課題】
先に述べたように、従来使用する現像剤の特性によって画像形成が不安定となり、高精細の画像が形成できないと云う課題に注目したものである。
【０００４】
本発明の目的は、トナーとキャリアを適切な組合せで使用することによって、安定に画像形成する方法を提供することにある。
【０００５】
【課題を解決するための手段】
上記目的は次の方法で達成できる。
【０００６】
トナー単位重量当たりの帯電量Ｑ／Ｍとトナーとキャリアの混合比Ｔ／Ｃの関係を数１に当てはめて、Ｌch×Ｔ／Ｃ＜１となる条件でその現像剤を使用するものである。
【０００７】
【作用】
上記特性の現像剤を使用することによって、安定した画像を形成できる。
【０００８】
【実施例】
まず始めに、帯電量とトナー混合比の関係はどのようになるかを説明し、次に実際の現像剤について確認し、帯電量の混合比特性と現像剤の各種特性との関連を説明する。
【０００９】
まず、帯電量Ｑ／Ｍとトナー混合比Ｔ／Ｃ（トナーの重量／キャリアの重量）の関係がどのように決定されるかを説明する。
【００１０】
ｍ１(ｇ)のトナーとｍ２(ｇ)のキャリアが混合した現像剤を考える。トナー混合比Ｔ／Ｃは数２で表される。
【００１１】
【数２】
Ｔ／Ｃ＝ｍ１／ｍ２                                        …（数２）
トナーとキャリアの摩擦によってトナーが帯電する現象を図１のモデルで説明する。図１のモデルは、トナーとキャリアの仕事関数差と表面状態数で接触時に移動する電子量が決定されるという帯電モデルである。仕事関数は電子を真空中に放出させるための最小のエネルギーであり、図１ではＷ１やＷ２で示される。表面状態数は、単位エネルギー幅の中にいくつの電子が存在しているか、または電子が入れる場所があるかを示し、図１ではＮ１やＮ２で示される。トナーとキャリアの摩擦帯電は、トナーとキャリアが接触したとき、仕事関数が小さい方から大きい方へ電子が移動し、移動後の仕事関数差が０になるところで電子の移動が終了すると考えられている。このような考えは、図１のトナーとキャリアをそれぞれ水が入った入れ物と考え、その入れ物の底をパイプでつなぐと、水位の高い方から低い方へ水が移動して、両方の入れ物の水位が一致した時点で水の移動が終わることによく似ている。水は電子，入れ物の上端から水面までの距離が仕事関数に対応している。
【００１２】
いま、図１のようにキャリアの仕事関数がトナーの仕事関数より小さい場合は、キャリアからトナーへ電子が移動する。その移動する電荷量Ｑは、前述のモデルから計算でき、
【００１３】
【数３】
0004049827.tif 000002
【００１４】
となる。ここで、Ｎ１とＮ２はトナーとキャリアの表面状態数、Ｗ１とＷ２はトナーとキャリアの仕事関数であり、またｅは電子電荷の絶対値である。この式は、培風館刊，Ａ.Ｒ.ブライス著，三宅彰・瀬川渡＝共訳「高分子の電気的性質」の１７７ページに記載されている。
【００１５】
トナーの単位重量当たりの電荷量Ｑ／Ｍは、Ｑをｍ１で割ることによって得られ、次のようになる。
【００１６】
【数４】
0004049827.tif 000003
【００１７】
次に、Ｔ／Ｃとの関係式を導く。トナーとキャリアの単位重量当たりの表面状態数をｎ１，ｎ２とすると、重量ｍ１，ｍ２と表面状態数Ｎ１，Ｎ２の間には次の関係がある。
【００１８】
【数５】
Ｎ１＝ｎ１×ｍ１                                          …（数５）
【００１９】
【数６】
Ｎ２＝ｎ２×ｍ２                                          …（数６）
数２，数５，数６から、
【００２０】
【数７】
Ｎ１／Ｎ２＝(ｎ１／ｎ２)×Ｔ／Ｃ                          …（数７）
となる。数４からｍ１を消去し、さらに数７の関係式を用いると、
【００２１】
【数８】
0004049827.tif 000004
【００２２】
となる。数８の分子をＱ／Ｍ(０)，分子のｎ１／ｎ２をＬchとおく。
【００２３】
【数９】
Ｑ／Ｍ(０)＝ｅ×ｎ１(Ｗ２−Ｗ１)                          …（数９）
【００２４】
【数１０】
Ｌch＝ｎ１／ｎ２                                        …（数１０）
すると、数８は、
【００２５】
【数１１】
0004049827.tif 000005
【００２６】
となる。これがトナーの帯電量Ｑ／Ｍとトナー混合比Ｔ／Ｃの関係を表す式である。この数１１から、Ｑ／Ｍ(０)はトナー混合比Ｔ／Ｃ＝０に外挿したＱ／Ｍの値であることが分かる。
【００２７】
種々なトナーとキャリアの組合せで、トナー混合比Ｔ／Ｃが異なる現像剤を調合し、その帯電量Ｑ／Ｍをブローオフ法等で測定した。その結果を表１に示す。
【００２８】
【表１】
0004049827.tif 000006
【００２９】
表１は、測定結果に最小二乗法を適用して数１１のＱ／Ｍ(０)とＬchを求めた結果でる。
【００３０】
表１のｅｒｒは、Ｑ／Ｍ(０)とＬchを用いた計算値と実測値との二乗平均誤差である。普通、二乗平均誤差の３倍した値を誤差として見積もるので、それにならうと、表２から、数１１で計算されるＱ／Ｍと実測値との差は平均して１０％以内であることがわかる。
【００３１】
【表２】
0004049827.tif 000007
【００３２】
これは、Ｑ／Ｍの測定バラツキを考慮すればよく一致している。したがって、Ｑ／ＭとＴ／Ｃの関係は数１１で示されることが分かった。また、図２は、Ｑ／ｍとＴ／Ｃの関係の代表的な例を示すものであり、現像剤は、トナー混合比Ｔ／Ｃを大きくしていったときに、図２ではタイプと記した。表１のＮo.４やＮo.５のように帯電量Ｑ／Ｍが徐々に減少する現像剤と、図２ではタイプと記したＮo.１やＮo.２のように急激に減少する現像剤の２タイプに分類できることが分かった。なお、Ｎo.３のように、その中間の特性の現像剤もあるが、以後は特にことわらない限り、最初の２タイプで説明する。
【００３３】
次に、数１１からも帯電量の混合比特性は次のように、大きく分けて２タイプに分類できることを示す。
【００３４】
タイプ１：
数１１で、Ｌch×Ｔ／Ｃ＜＜１の場合
ｘ≪１のとき、
【００３５】
【数１２】
0004049827.tif 000008
【００３６】
と近似できるので、数１１は、
【００３７】
【数１３】
Ｑ／Ｍ＝Ｑ／Ｍ(０)（１−Ｌch×Ｔ／Ｃ）                  …（数１３）
のように表せる。すなわち、帯電量Ｑ／Ｍは、トナー混合比Ｔ／Ｃの増加に伴い、直線的に減少していく特性となる。一般に、２成分現像剤では、トナー混合比はフェライトキャリアを用いた場合は０.０４ 前後、バインダー型キャリアを用いた場合は０.１ 前後で使われることが多く、そのようなトナー混合比において、Ｌch×Ｔ／Ｃ≪１となる場合は、帯電量Ｑ／Ｍはトナー混合比Ｔ／Ｃが大きくなるに伴って、直線的にしかもゆるやかに減少する特性となる。このようなタイプの現像剤は直線漸減型の現像剤と呼ぶことにする。
【００３８】
タイプ２：
数１１で、Ｌch×Ｔ／Ｃ＞＞１の場合
ｘ≫１のとき、
【００３９】
【数１４】
0004049827.tif 000009
【００４０】
と近似できるので、数１１は、
【００４１】
【数１５】
0004049827.tif 000010
【００４２】
のように表せる。すなわち、帯電量Ｑ／Ｍは、トナー混合比Ｔ／Ｃに反比例する特性となる。このようなタイプの現像剤は反比例型の現像剤を呼ぶことにする。
以上の分類から、図２で、帯電量Ｑ／Ｍが徐々に減少するタイプ１と記した現像剤は直線漸減型，帯電量Ｑ／Ｍが急激に減少するタイプ２と記した現像剤は反比例型の現像剤と分類できる。
【００４３】
次に、帯電量の混合比特性と現像剤の各種特性との関連について説明する。図２に示すように、帯電量の混合比特性は２タイプに大分類できることが分かったが、それぞれのタイプの現像剤について、各種評価を行った結果、次のような相関が得られた。
【００４４】
（１）環境特性
温度や湿度などの環境条件が変わると、帯電量も変化する。その変化は、環境が高温高湿では帯電量の絶対値が小さくなり、低温低湿では大きくなるというものである。この帯電量の変化量が大きいと、環境によって画像濃度が変動するので好ましくない。
【００４５】
ところで、直線漸減型の現像剤の帯電量の環境特性を調べると、環境変化による帯電量の変化量が少なく、画像濃度の変動も少なかった。一方、反比例型の現像剤では、環境変化による帯電量の変化量が大きく、画像濃度の変動も大きかった。
【００４６】
（２）帯電立上り特性
補給されたトナーが現像部へ搬送されて行くまでに、帯電量が所定値に達していなければ、トナー飛散が発生し、装置内部を汚染する。それ故、帯電量の立上りが速いことは、現像剤に要求される重要な項目である。この帯電量の立上り特性については、次のような相関が得られた。
【００４７】
直線漸減型の現像剤では、立上りが速く、トナー飛散も少なかった。一方、反比例型の現像剤では、立上りが遅くトナー飛散も多かった。
【００４８】
（３）帯電量分布
事前に十分に撹拌混合した現像剤を、現像機に入れて画像形成実験を行うと次のような相関が得られた。
【００４９】
直線漸減型の現像剤では、帯電量の絶対値が小さくても、トナー飛散は少なかった。一方、反比例型の現像剤では、帯電量の絶対値が直線漸減型のそれよりも大きい場合でも、トナー飛散は多かった。これは、帯電量の絶対値が大きくても、帯電量分布が広く、僅かにしか帯電していないトナーが含まれていると、それがトナー飛散を生じさせていると考えられる。したがって、直線漸減型の現像剤は帯電量分布が狭く、反比例型の現像剤は帯電量分布が広いことになる。
【００５０】
（４）トナー混合比制御特性
トナー混合比によって現像剤の嵩密度が変化し、それによって更に現像剤の実効透磁率が変化する特性を利用したトナー混合比センサがある。ところが、現像剤の嵩密度は帯電量によっても変化してしまうという問題がある。その変化は、帯電量の絶対値が大きくなるにつれて嵩密度は小さくなるというものである。
【００５１】
反比例型の現像剤の場合、トナーを補給することによって嵩密度が小さくなるが、トナー混合比が大きくなると、帯電量の絶対値が小さくなり、再び嵩密度を大きくする方向に作用してしまう。その結果、トナーの補給量の割りには嵩密度が小さくならず、トナー混合比の検出感度が低くなる。そして、トナーの消費量が多く、トナー補給も多い場合、反比例型の現像剤では、帯電の立上りも遅くトナーを十分に帯電させることができず、補給されたトナーは未帯電のままか僅かに帯電する程度となる。したがって、トナー補給が多い割に嵩密度があまり小さくならず、実際にはトナー混合比が大きくなっているにもかかわらず、それを検出できずにトナーを補給し続けてしまうという、トナー混合比制御の暴走を引き起こす場合がある。実際に、各種現像剤の評価結果を調べると、反比例型の現像剤を用いた場合は、トナー混合比が過剰になることがあった。また、そのような場合は、トナー飛散も多量に発生して、装置内部を汚染してしまった。したがって、反比例型の現像剤ではトナー混合比制御は不安定となる。
【００５２】
一方、直線漸減型の現像剤の場合は、トナーの補給量が嵩密度の変化に直接反映されるので、トナー混合比の検出感度も高く、また、補給されたトナーは速やかに帯電する。したがって、反比例型の現像剤のようなトナー混合比が過剰になるという問題は生じなかった。したがって、直線漸減型の現像剤はトナー混合比制御が安定に行える。
【００５３】
（５）現像特性
感光体上の単位面積当たりに現像されるトナー重量Ｍ／Ａは、トナー混合比Ｔ／Ｃが大きいほど多くなり、また帯電量Ｑ／Ｍに対して反比例することが分かっているので、数１６のような関係式が成り立つ。数１６でａは比例係数である。
【００５４】
【数１６】
0004049827.tif 000011
【００５５】
この現像特性については次のような関係がある。
【００５６】
反比例型の現像剤では、Ｑ／ＭとＴ／Ｃの関係は数１５で表されるから、数  １６は数１７のように書き替えられる。
【００５７】
【数１７】
0004049827.tif 000012
【００５８】
すなわち、ｍ／ＡはＴ／Ｃの二乗に比例することになる。これは、画像濃度が低い場合、トナー混合比Ｔ／Ｃを少し大きくすることによって画像濃度を大幅に高くすることが可能であることを示している。一方で、トナー混合比Ｔ／Ｃの僅かな変動が画像濃度の大きな変動となって表れることになるので、正確なトナー混合比の制御が要求される。しかし、それ自体が前述したように難しいことにより、反比例型の現像剤では、安定な現像は難しいことになる。実際に、反比例型の現像剤を用いた場合の連続印刷試験結果を調べると、画像濃度の変動が大きかった。
【００５９】
一方、直線漸減型の現像剤では、帯電量Ｑ／Ｍはトナー混合比Ｔ／Ｃの変動に対してほぼ一定とみなせるので、現像トナー重量ｍ／Ａは数１６から、Ｔ／Ｃに比例することになる。したがって、トナー混合比Ｔ／Ｃの僅かな変動は画像濃度の僅かな変動となって表れるだけであり、さらに、前述したトナー混合比制御の安定性とあいまって、安定な現像が行え、連続印刷試験による画像濃度も安定していた。
【００６０】
以上に説明したことをまとめると、表２のようになる。表２から、トナー混合比Ｔ／Ｃが増加しても、帯電量Ｑ／Ｍがあまり低下しない、直線漸減型の現像剤の方が全ての特性が良好であることがわかる。その理由については、前述した通りである。さらに説明を加えると、トナー混合比を増加させてもそれに伴う帯電量の低下が少ないことは、トナーとキャリアを組合せたときキャリアの電荷付与能力に対して、トナーの電荷受容量が少ないために、キャリアがトナーへ電荷を付与しても、更に電荷を付与する余裕が残されているためと考えられる。
【００６１】
次に、直線漸減型と反比例型の境界について説明する。
【００６２】
数１１において、現像剤のタイプを２つに分類するとき、Ｌch×Ｔ／Ｃ≪１の場合とＬch×Ｔ／Ｃ≫１の場合に分けた。また、表１に示したＮo.４やＮo.５の現像剤では、Ｔ／Ｃが０.０７５の場合でＬch×Ｔ／Ｃの値はそれぞれ０.４４,０.５１であり、Ｎo.１やＮo.２ではそれぞれ６.４４，４.０８であった。また、中間のタイプのＮo.３では１.６５ であった。
【００６３】
このＮo.４とＮo.５の現像剤は、表２に示すように各種特性が良好であった。一方、Ｎo.１とＮo.２の現像剤は表２に示す各種特性は好ましいものではなかった。また、Ｎo.３の現像剤についても、同様に好ましい特性は得られなかった。
以上のことから判断すると、Ｌch×Ｔ／Ｃの値をほぼ１を境界として、１より小さい現像剤が好ましく、１より大きい現像剤は好ましくないと考えられる。このＬch×Ｔ／Ｃが１という値は、帯電量Ｑ／ＭがＴ／Ｃ＝０における値Ｑ／    Ｍ(０)の１／２になる場合である。すなわち、トナーの帯電量が最大に帯電しうる値の１／２以上のトナー混合比以下で使用することが、表２の各種特性が良好な理由と考えられる。これは、例えば、交流信号を増幅する場合、電力増幅率が１／２となる周波数で増幅器の周波数帯域を表し、増幅すべき信号の周波数を含む周波数帯域を有する増幅器を用いることに類似している。
【００６４】
従って、現像剤の帯電量については、交流信号の増幅の場合がそのまま当てはまるわけではないが、キャリアがトナーを帯電させる能力を、増幅器の電力増幅率と対比させて考えると、トナーの帯電量Ｑ／Ｍが最大に帯電しうる値であるＴ／Ｃ＝０における値Ｑ／Ｍ(０)の１／２以上となるトナー混合比以下で使用することは適切な条件と考えられる。
【００６５】
以上より、現像剤のトナー混合比Ｔ／Ｃを変えたときの帯電量を調べ、それを数１に当てはめて、Ｌch×Ｔ／Ｃ＜１となる条件の現像剤を使用することによって、安定な画像形成が可能になることが分かる。
【００６６】
なお、その場合、トナー混合比Ｔ／Ｃは、トナーによるキャリア表面の被覆限界のトナー混合比（トナーがキャリアの表面を全面覆うトナー混合比）以下に設定し、通常、粒径１００μｍで嵩密度が２.６ ｇ／立方cm前後の鉄粉キャリアやフェライトキャリアで０.０２から０.０５の範囲，粒径１００μｍで嵩密度が  １.１ ｇ／立方cm前後のバインダー型キャリアで０.０４から０.１２の範囲である。このような範囲において、Ｌch×Ｔ／Ｃ＜１を満足する現像剤を使用するのである。つまり、鉄粉キャリアやフェライトキャリアではＬchは５０以下、バインダー型キャリアではＬchは２５以下となるキャリアを選んで使うことが望ましい。
【００６７】
以下、本発明の特性の現像剤を用いたときの実施例を説明する。
【００６８】
実施例１
表１に示すＮo.５の現像剤を用いた場合について説明する。この現像剤はポリエステルトナーとマグネタイトキャリアの組合せである。トナーは平均粒径が約１１μｍでカーボンブラックを含んだ黒トナーであり、キャリアは平均粒径が約１２０μｍでシリコン系の樹脂をコーティングしてある。トナーには、そのキャリアとの組合せで、帯電量のトナー混合比の依存性が少なくなるように、帯電制御剤やカーボンブラックの量が調整されている。
【００６９】
この現像剤のトナーの帯電量Ｑ／Ｍの混合比Ｔ／Ｃ依存性は表１に示す通り、混合比Ｔ／Ｃを高くしてもＱ／Ｍの低下は少ない特性である。そして、混合比Ｔ／Ｃを約０.０３ に調整した現像剤を反転現像によって画像を形成するプリンタに適用した結果、プリンタ内部にトナーが飛散して汚染することが無く、また、環境変動に対しても画像濃度は安定であった。さらに１万ページ以上の印刷試験を行っても、初期と変わらない画像濃度で印刷を行うことができた。また、その試験の途中で、トナー混合比が異常に高くなったり、低くなったりすることは無かった。すなわち、この現像剤は、直線漸減型の現像剤であり、表２に示す各種特性が好ましいため、安定な画像形成を行えたのである。
【００７０】
実施例２
第２の実施例として、Ｎo.４の現像剤を用いた場合を説明する。この現像剤は、ポリエステルトナーを用い、キャリアは小粒径のバインダー型キャリアを用いている。トナーは平均粒径が約１１μｍでカーボンブラックを含まないカラートナーである。キャリアの平均粒径は約５５μｍで、ポリエステルに磁性粉を混ぜたもので形状は不定形である。同じ重量のキャリアで、その粒径を小粒径化すると、キャリアの総表面積を増加させることができる。すると、前述した理論の説明におけるキャリアの表面状態数Ｎ２を大きくすることができ、数６から単位重量当たりの表面状態数ｎ２が大きくなることがわかり、さらに数１０からＬchの値が小さくなることが導かれる。このＬchの値が小さいほど、トナーの帯電量Ｑ／Ｍの混合比Ｔ／Ｃの依存性が少なくなることは前述したとおりである。したがって、キャリアの小粒径化によって現像剤を直線漸減型にすることが可能となる。
【００７１】
そして、混合比Ｔ／Ｃを約０.０６ に調整したこの現像剤を用いて印刷試験を行った結果、第１の実施例と同じように表２に示す各種特性について良好な結果が得られた。
【００７２】
比較例
次に比較例として、Ｎo.１現像剤を用いた場合を説明する。この現像剤のトナーは第２の実施例と同じである。キャリアもバインダー型であるが、平均粒径が約１２０μｍで球形のキャリアである。キャリアを大粒径化し、形状も球形にすると、同じ重量のキャリアでは、その表面積は減少する。すると、第２の実施例とは逆に、キャリア単位重量当たりの表面状態数ｎ２は小さくなり、数１０の値は大きくなる。したがって、トナーの帯電量Ｑ／Ｍの混合比Ｔ／Ｃの依存性は大きくなり、反比例型の現像剤となる。
【００７３】
混合比Ｔ／Ｃを約０.０８ に調整したこの現像剤を用いて印刷試験を行った結果、プリンタの内部はトナーで汚染されてしまった。これは、帯電の立上りが遅く、しかも帯電量分布も広いため、未帯電のトナーや弱帯電のトナーが飛散したことが原因である。
【００７４】
また、試験を継続中に、天候が変化するとトナーの帯電量も変化し、それによって画像濃度も変化してしまった。具体的には、天候が雨になると帯電量が低下して画像濃度が高くなり、晴ではその逆になった。さらに、トナー混合比の検出感度も低く、印刷密度を変化させたりすると、帯電の立上りが遅いことも加わって、トナー混合比が過剰になり、画像背景部にもトナーが現像されるという状況も生じた。
【００７５】
具体的には、印刷密度が高く、トナーの消費が多い場合、トナーの補給も多くなるが、補給されたトナーの帯電が速やかに行われないために、実際にはトナー混合比が高くなっているにもかかわらず、トナー混合比センサがそれを検出できずに、トナーを過剰に補給してしまったものである。この現像剤は、反比例型の現像剤であり、表２に示す各種特性が好ましくないため、以上のような問題が生じて、画像形成も不安定となったのである。
【００７６】
【発明の効果】
トナーの帯電量Ｑ／Ｍがトナーとキャリアの混合比Ｔ／Ｃの依存性が少ない現像剤を用いることによって、トナー飛散が無く装置内部を汚染せず、環境変動に対しても安定で、トナー消費量によって画像濃度が変化することも無く、さらにトナー混合比制御も安定に行うことができる。
【図面の簡単な説明】
【図１】摩擦帯電のモデル図。
【図２】トナーの帯電量とトナー混合比の関係を示す図。
【符号の説明】
Ｗ１，Ｗ２…仕事関数、Ｎ１，Ｎ２…表面状態数、Ｑ…電荷量。
【図１】
0004049827.tif 000014
【図２】
0004049827.tif 000015